(57)【要約】【課題】宣伝や装飾のための用具であって、風などにより宣伝や装飾等のための表示内容の視認性が低下することを抑制する固定旗を提供する。【解決手段】設置面（０１０１）に起立するための固定旗であって、表示内容を記すための２枚の布（０１０２、０１０３）と、前記布を張設するための弓なりに張られる一の骨材（０１０４）と、設置面から支持されるために前記骨材の両端に設けられる２点の支持点（０１０５、０１０６）と、前記布の一端に設けられ前記布を設置面に起立して張設する方向に張設力を与える２点の支持点（０１０７、０１０８）とからなる固定旗である。【選択図】図１
2010204305.tif 000002
【特許請求の範囲】
【請求項１】
設置面に対して起立するための固定旗であって、
表示内容を記すための布と、
前記布を張設するための弓なりに張られる骨材と、
設置面から支持されるために前記骨材に設けられる支持点を含む三点以上の支持点であって、前記布を設置面に起立して張設する方向に張設力を与える支持点と、
からなる固定旗。
【請求項２】
前記骨材は、設置面に対する支持点を両端に有する請求項１に記載の固定旗。
【請求項３】
前記骨材を複数有し、骨材端部どうしが連結され、両骨材で囲まれた領域に前記布が張設される請求項１または２に記載の固定旗。
【請求項４】
前記骨材は、
設置面に略平行に配される一以上の骨材と、
設置面に対して縦アーチを描くように配される一以上の骨材と、からなり、
前記支持点は、さらに設置面に略平行に設けられる骨材の略中間点に設けられる請求項３に記載の固定旗。
【請求項５】
前記縦アーチを描く骨材は一であり、
前記設置面に略平行に設けられる骨材は、二である請求項４に記載の固定旗。
【請求項６】
前記設置面は壁面、窓面のいずれかであり、前記支持点の少なくとも一部は、前記壁面、窓面のいずれかに固着する機能を有する請求項１から５のいずれか一に記載の固定旗。
【請求項７】
前記少なくとも一部の支持点は、吸盤機能を有する請求項６に記載の固定旗。
【発明の詳細な説明】
【技術分野】
【０００１】
本発明は、布に文字や絵柄を記し、広告、宣伝、標識、装飾等のために使用される旗に関する。
【背景技術】
【０００２】
店先や道路端での宣伝や、店舗や施設の装飾に旗や幟を用いることは、従前より行われていることである。しかし、旗については、風のない状態では重力により旗が垂れ下がってしまい、旗に描かれている表示内容を視認することができなくなってしまう。また、幟については、風によってはためいたり巻き上がったりしてしまい、表示内容を視認することができなくなる。したがって、風や重力の影響によって宣伝や装飾の効果が薄れてしまう。加えて、一般的な旗や幟は、支柱や支持台が不可欠であり、その分設置及び撤去に手間を要する。
【０００３】
そこで、特許文献１に記載の考案では、旗を、空気を入れて膨らませることのできる密閉式の袋体とすることにより、旗に記された文字や図柄を明瞭に表示することを図っている。また、特許文献２に記載の発明では、膜面を有する旗を金属等からなる支持台に設置することにより、表示内容が良く判別できるようにすることを図っている。
【先行技術文献】
【特許文献】
【０００４】
【特許文献１】実登３１３０７５３号公報
【特許文献２】特開２００２−２４４６０２号公報
【発明の概要】
【発明が解決しようとする課題】
【０００５】
しかし、特許文献１に記載の考案では、微小な損傷であっても袋体の密閉性が破れ、膨らませることができなくなることから、取扱いに注意を要し使い勝手が良いとは言えない。また、特許文献２に記載の発明では、金属等からなる支持台に設置するものであることから、設置及び撤去を容易に行えるものとは言えない。
【課題を解決するための手段】
【０００６】
本発明は、かかる課題を解決するために以下の固定旗を提供するものである。すなわち、第一の発明として、設置面に対して起立するための固定旗であって、表示内容を記すための布と、前記布を張設するための弓なりに張られる骨材と、設置面から支持されるために前記骨材に設けられる支持点を含む三点以上の支持点であって、前記布を設置面に起立して張設する方向に張設力を与える支持点とからなる固定旗を提供する。
【０００７】
第二の発明として、前記骨材は、設置面に対する支持点を両端に有する第一の発明に記載の固定旗を提供する。
【０００８】
第三の発明として、前記骨材を複数有し、骨材端部どうしが連結され、両骨材で囲まれた領域に前記布が張設される第一の発明又は第二の発明に記載の固定旗を提供する。
【０００９】
第四の発明として、前記骨材は、設置面に略平行に配される一以上の骨材と、設置面に対して縦アーチを描くように配される一以上の骨材と、からなり、前記支持点は、さらに設置面に略平行に設けられる骨材の略中間点に設けられる第三の発明に記載の固定旗を提供する。
【００１０】
第五の発明として、前記縦アーチを描く骨材は一であり、前記設置面に略平行に設けられる骨材は、二である第四の発明に記載の固定旗を提供する。
【００１１】
第六の発明として、前記設置面は壁面、窓面のいずれかであり、前記支持点の少なくとも一部は、前記壁面、窓面のいずれかに固着する機能を有する第一の発明から第五の発明のいずれか一に記載の固定旗を提供する。
【００１２】
第七の発明として、前記少なくとも一部の支持点は、吸盤機能を有する第六の発明に記載の固定旗を提供する。
【発明の効果】
【００１３】
本発明により、風などにより表示内容の視認性が低下することのない、また、支柱や支持台を要することなく設置することのできる固定旗を提供することができる。
【図面の簡単な説明】
【００１４】
【図１】実施形態１に係る固定旗の一例図
【図２（ａ）】図１に示す固定旗を（ａ）方向から示す図
【図２（ｂ）】図１に示す固定旗を（ｂ）方向から示す図
【図２（ｃ）】図１に示す固定旗を（ｃ）方向から示す図
【図３】実施形態１に係る固定旗の別の一例図
【図４】実施形態１に係る固定旗の支持点を示す図
【図５】実施形態１に係る固定旗の別の一例図
【図６】実施形態１に係る固定旗の具体的利用の一例図
【図７】実施形態１に係る固定旗の具体的利用の別の一例図
【図８】実施形態２に係る固定旗の一例図
【図９】実施形態３に係る固定旗の一例図
【図１０（ａ）】図９に示す固定旗を（ａ）方向から示す図
【図１０（ｂ）】図９に示す固定旗を（ｂ）方向から示す図
【図１０（ｃ）】図９に示す固定旗を（ｃ）方向から示す図
【図１１】実施形態４に係る固定旗の一例図
【図１２】図１１に示す固定旗を（ａ）方向から示す図
【図１３】実施形態４に係る固定旗の別の一例図
【図１４】図１３に示す固定旗を設置面方向から示す図
【図１５】図１３に示す固定旗を折りたたんだ状態を示す図
【発明を実施するための形態】
【００１５】
以下、本発明を実施するための形態について、図面を用いて説明する。なお、本発明は、これらの実施形態に何ら限定されるべきものではなく、その要旨を逸脱しない範囲において、種々なる態様で実施し得る。
【００１６】
実施形態１は、主に請求項１などに関する。実施形態２は、主に請求項２などに関する。実施形態３は、主に請求項３などに関する。実施形態４は、主に請求項４、５などに関する。実施形態５は、主に請求項６、７に関する。
＜実施形態１＞
＜実施形態１  概要＞
【００１７】
本実施形態の固定旗は、弓なりに張られる骨材により張設される布と、布に対して張設力を与える支持点とによって、設置面に対して起立する旗である。
＜実施形態１  構成＞
【００１８】
図１は、本実施形態の固定旗の概念を示す一例図である。この固定旗は、設置面（０１０１）に起立するための固定旗であって、表示内容を記すための２枚の布（０１０２、０１０３）と、前記布を張設するための弓なりに張られる一の骨材（０１０４）と、設置面から支持されるために前記骨材の両端に設けられる２点の支持点（０１０５、０１０６）と、前記布の一端に設けられ前記布を設置面に起立して張設する方向に張設力を与える２点の支持点（０１０７、０１０８）とからなる固定旗である。
【００１９】
図２は、図１に示される固定旗を、異なる角度から示したものであり、図２（ａ）は、図１における（ａ）方向から示したものである。図２（ｂ）は、図１における（ｂ）方向から示し、図２（ｃ）は、図１における（ｃ）方向から示したものである。
【００２０】
「布」（０１０２、０１０３）には、宣伝や装飾のための文字や絵柄が記される。例えば、「大売り出し」や「お勧め商品」などの宣伝文句や、「花柄」などの装飾のための絵柄等である。布の材質には、木綿や麻などの天然繊維、あるいは、ナイロンやポリエステルなどの化学繊維等を用いてもよいし、ビニールシートやゴムシートであってもよい。図において、布の形状は、１辺を略直線状とし１辺を弓なり状としている。弓なり状の１辺は、接着や縫着などにより骨材に張設される。
【００２１】
「骨材」（０１０４）は、布を張設するために弓なりに張られる。したがって、弾性を備えるものであることが好ましい。材質は、プラスチックなどの合成樹脂でもよいし、木や竹などでもよい。
【００２２】
「支持点」は、固定旗が設置面から支持されるために設けられる。ここで、「設置面から支持される」とは、支持点の変位のすべてを拘束して支持する固定支持に限られるものではなく、少なくとも設置面と接する限りにおいて、上下左右方向の変位や回転方向の変位などの支持点の変位を許容して支持する場合も含む意味である。骨材の両端（０１０５、０１０６）と、２枚の布のそれぞれの一部（０１０７、０１０８）に設けられ、布を設置面に起立して張設する方向に張設力を与える。ここで、「布を設置面に起立させる」とは、少なくとも、骨材に張設される布が、設置面に倒れて表示内容が視認不能とならないという意味である。
【００２３】
固定旗を設置面に起立して固定する際には、骨材の両端における支持点にて設置面に支持させるとともに、２枚の布に設けられる支持点のそれぞれを、骨材の両端における支持点を結ぶ方向と略直行する方向であって、設置面と略平行な方向に、互いに引っ張り合うようにして設置面に固定する。このように支持点を固定することにより、例えば、図２（ａ）における矢印Ａ及び矢印Ｂで示すように、２枚の布には相反する方向に張設力が働き、旗が設置面に倒れることを妨げて起立することになる。つまり、弓なりの骨材に布を張設することにより旗としての表示面を形成するとともに、布に設けられる支持点を対向する方向に張設力を与えるように設置面に固定することにより起立状態を維持するものである。
【００２４】
布に設けられる支持点を設置面に固定するためには、設置面や設置条件に応じて種々の手段を採用することができる。例えば、設置面が鉄等の強磁性体からなるものであれば、支持点に磁石を設けることにより、設置面に固定することができる。また、設置面がガラス等の平滑面であれば、吸盤により固定することができる。さらに、紐や面ファスナーを採用してもよい。地面に設置する場合には、支持点に重石を乗せたり杭を打ち込んだりして固定してもよい。
【００２５】
図３は、本実施形態の固定旗の別の一例図である。この固定旗は、表示内容を記すための２枚の布（０３０２、０３０３）と、前記布を張設するための弓なりに張られる骨材（０３０１）と、設置面（０３０７）から支持されるために前記骨材の一端に設けられる支持点（０３０４）と、前記布の一端に設けられ前記布を設置面に起立して張設する方向に張設力を与える２点の支持点（０３０５、０３０６）とからなる固定旗である。この固定旗を設置面に起立するためには、骨材に設けられる支持点が設置面に固定される必要がある。例えば、図４（ａ）のように骨材の端部（０４０１）に磁石（０４０２）を設けたり、図４（ｂ）のように骨材の端部（０４０３）に吸盤（０４０４）を設けたりすることにより、骨材が支持点にて設置面に固定される。そして、布の一端に設けられる支持点を互いに引っ張り合うようにして張設力を与えて設置面に固定する。また、図５のように、弓なりの骨材（０５０１）と、設置面（０５０２）に対して略平行に配される２本の骨材（０５０３、０５０４）とを、それぞれの端部において連結させて、弓なりの骨材と設置面に略平行に配される骨材との間に、それぞれ２枚の布を張設するように骨材を形成してもよい。
【００２６】
本実施形態の固定旗の具体的利用例を説明する。図６は、自動車販売店における利用例である。「ワンオーナー」や「特選車」などの自動車の特性やセールスポイントなどを布に印刷等した固定旗を、自動車のサイドウィンドーに吸着させている。自動車販売店では、多数の自動車を屋外に連ねて並べておくことが多いが、各車に上記の固定旗を付けておけば、風などにより表示内容の視認性が低下することもなく、顧客にとって各車の特性を把握することが容易になる。また、販売店にとっても、売りたい自動車をアピールし易くなる。さらに、支柱や支持台などが不要のため設置及び撤去が容易である。このような効果は、一般的な旗や幟では得られない。
【００２７】
図７は、開店を迎えた店舗において、「新装開店」の文字が記された複数の固定旗を装飾のために利用した例を示すものである。他にも「祝」や「寿」といったおめでたい文字や「花柄」等の華やかな絵柄を布に印刷等した複数の固定旗を利用して、多様な装飾を店舗や施設に施すことが容易に行える。
＜実施形態１  効果＞
【００２８】
本実施形態の固定旗により、風ではためくことにより表示内容が見え辛くなることなく、宣伝等を行うことが可能となる。
＜実施形態２＞
＜実施形態２  概要＞
【００２９】
本実施形態は、実施形態１を基本とし、骨材が、その両端に設置面に対する支持点を有することを特徴とする固定旗である。骨材の両端に設けられる支持点により設置面から支持されるため、固定旗の形状における安定性が向上し、表示内容の視認性の低下を抑制する。
＜実施形態２  構成＞
【００３０】
図８は本実施形態の固定旗の一例を示す図である。図８の（ａ）に示したのは、固定旗の斜視図であり、図８の（ｂ）に示したのは、固定旗を設置面に対して上から見た図である。この固定旗は、表示内容を記すための布（０８０１、０８０２）と、前記布を張設するための弓なりに張られる２本の骨材（０８０３、０８０４）と、前記２本の骨材の両端部に設けられる支持点（０８０６）と、前記２本骨材の間に張られる布（０８０５）とからなる固定旗である。
【００３１】
２本の骨材を張る布については、一枚の布で張ってもよいし、２枚の布で張ってもよい。また、２本の骨材を、それぞれの略中間点において接合してもよい。この場合は２本の骨材により立体的な骨組みを形成することになり、形状の安定した固定旗とすることができる。また、２本の骨材を揺動可能に接合してもよい。この場合には、収納の際に２本の骨材を揃えて収納することができ、かさ張ることがない。２本の骨材が接合されない場合も同様である。固定旗を設置面に起立して固定するための手段は、実施形態１と同様であるので、説明を省略する。
＜実施形態２  効果＞
【００３２】
本実施形態の固定旗により、骨材に張られる布の張設力により立体的な骨組みが形成され、設置面に対して安定的に支持される。
＜実施形態３＞
＜実施形態３  概要＞
【００３３】
本実施形態は、実施形態１又は実施形態２を基本とし、骨材を複数有し、骨材端部どうしが連結され、両骨材で囲まれた領域に布が張設されることを特徴とする固定旗である。
＜実施形態３  構成＞
【００３４】
図９は本実施形態の固定旗の一例を示す図である。図１０は、図９に示される固定旗を、異なる角度から示したものであり、図１０（ａ）は、図９における（ａ）方向から示したものである。図１０（ｂ）は、図９における（ｂ）方向から示したものである。図１０（ｃ）は、図９における（ｃ）方向から示したものである。この固定旗は、三の骨材の端部どうしを連結してなるものである。互いの端部を連結して設置面（０９１０）に対して略平行に略楕円を形作るように二の骨材（０９０１、０９０２）を配し、さらに、この連結した端部において、設置面に対して垂直方向に起立するように一の骨材（０９０３）の端部を連結して配する。そして、この一の骨材と略平行に配される骨材とで囲まれるそれぞれの領域に布（０９０４、０９０５）を張設する。
【００３５】
この固定旗においては、三の骨材の端部どうしを連結した部位（０９０６、０９０７）と、設置面に対して略平行に配された二の骨材のそれぞれ略中間の部位に支持点（０９０８、０９０９）を設け、この支持点を設置面に固定することにより、それぞれの布に働く張設力によって設置面に対して起立することができる。固定するための手段は、すでに説明した実施形態におけるものと同様であるので説明を省略する。
＜実施形態３  効果＞
【００３６】
本実施形態の固定旗により、連結された骨材に囲まれた領域に布が張られることで、
骨材の変位を制約し、設置面に対して安定的に支持される。
＜実施形態４＞
＜実施形態４  概要＞
【００３７】
本実施形態は、実施形態３を基本とし、設置面に対して略平行に配される骨材と、設置面に対して縦アーチを描くように配される骨材とからなり、設置面に略平行に配される骨材の略中間点に設けられる支持点を有することを特徴とする固定旗である。
＜実施形態４  構成＞
【００３８】
図１１は本実施形態の固定旗の一例を示す図である。この固定旗を、図１１における（ａ）方向から示した図１２を用いて説明する。設置面に略平行に配される一の骨材（１２０１）と、設置面に対して縦アーチを描くように配される一の骨材（１２０２）の端部どうしが連結される。そして、これら両骨材で囲まれた領域には布（１２０３）が張設される。設置面に略平行に配される骨材の略中間点には支持点（１２０４）が設けられる。縦アーチを描くように配される骨材には、さらに、布（１２０５）が張られ、その一部に支持点（１２０６）が設けられる。
【００３９】
設置面に略平行に配される骨材の略中間点に設けられる支持点と、布の一部に設けられる支持点を、それぞれの布が張った状態となるように設置面に固定することにより、布を設置面に起立して張設する方向に張設力を与える。そして、これら二の支持点に加え、骨材の端部どうしを連結した部位のいずれか、あるいは双方が支持点となり、設置面に対して起立状態を維持することができる。
【００４０】
図１３は、本実施形態の固定旗の別の一例を示す図である。縦アーチを描く一の骨材（１３０１）と、設置面（１３０２）に略平行に設けられる二の骨材（１３０３、１３０４）とを有する固定旗である。縦アーチを描く骨材と設置面に略平行に設けられる骨材で囲まれる領域には、それぞれ布（１３０５、１３０６）が張設され、略平行に設けられる骨材の略中間点には、それぞれ支持点（１３０７、１３０８）が設けられる。
【００４１】
図１４は、図１３に示した固定旗を設置面方向から見たときの平面図である。図１４に示した固定旗では、接地面に略平行に設けられた骨材（１４０１、１４０２）で囲まれた領域には、布（１４０３）が張設されている。この接地面に略平行に設けられた骨材に囲まれた領域に布を張設することで、固定旗内部に風が進入し、固定旗がばたついたりするのを防ぐことが可能である。
【００４２】
さらに、図１３に示した固定旗は、未使用の状態、つまり設置面に設置されていない状態では、コンパクトに折りたたむことが可能である。例えば、図１５に示したように、接地面に略水平に設けられる骨材（１５０１、１５０２）を、縦アーチを描く骨材方向（１５０３、１５０４）に折り曲げることで、平面状に折りたたむことが可能である。このように、平面状にたたむことで、多量の固定旗をコンパクトに収納することが可能となる。
【００４３】
略平行に設けられる二の骨材の略中間点に設けられる支持点を、布が張った状態となるように設置面に固定することにより布を設置面に起立して張設する方向に張設力を与える。また、略平行に設けられる二の骨材で囲まれる領域に張った布の長手方向の張設力により、略平行に配される骨材に対して湾曲させる力が働く。それにより、骨材の略中間点に設けられる支持点が、互いに遠ざかることになり、張設力を与えるために支持点を固定する際の力を補助することができる。
＜実施形態４  効果＞
【００４４】
本実施形態の固定旗により、風ではためくことにより表示内容が見え辛くなることなく、宣伝等を行うことが可能となる。
＜実施形態５＞
＜実施形態５  概要＞
【００４５】
本実施形態は、実施形態１から実施形態４のいずれか一を基本とし、固着する機能を有する支持点により、壁面又は窓面である設置面に起立することを特徴とする固定旗である。
＜実施形態５  構成＞
【００４６】
本実施形態における固定旗が設置される設置面は、壁面、窓面のいずれかである。壁面、窓面のいずれについても平面に限られるものではなく、曲面や多様な面が含まれる。支持点の少なくとも一部は、壁面、窓面のいずれかに固着する機能を有する。すべての支持点が固着する機能を有していてもよいが、少なくとも３つの支持点を有すれば、設置面に対して固定旗を支持し得る。また、骨材や布を軽量なもので製作する場合には、一部の支持点が固着する機能を有することで、十分に固定旗を壁面、窓面に固定して設置し得る場合もある。したがって、その分製作の費用と手間を省くことができる。また、少なくとも、布を設置面に起立して張設する方向に張設力を与える支持点に、固着する機能を与えることにより、設置面に固定旗が安定的に固定される。
【００４７】
設置面に固着する機能は、設置面に応じて採用することができる。例えば、窓面や平滑な面に対しては吸盤を採用したり、鉄等の強磁性体からなる壁面に対しては磁石を採用したり、網状や格子状の壁面のように壁面の一部が貫通している壁面に対しては紐やロープや面ファスナーを採用することができる。
【００４８】
少なくとも一部の支持点が有する固着する機能が、吸盤機能である場合には、窓面や平滑な壁面などに対して、固定旗を簡単に設置することができる。また、着脱が容易であることから、設置する位置の変更や、設置後の撤去が速やかに可能となる。
＜実施形態５  効果＞
【００４９】
本実施形態の固定旗により、固着する機能を有する支持点により、支柱や支持台がなくても壁面や窓面に設置することができ、様々な場所において宣伝や装飾を行うことができる。
【符号の説明】
【００５０】
０１０１  設置面
０１０２  表示内容を記すための布
０１０３  表示内容を記すための布
０１０４  布を張設するための骨材
０１０５  骨材に設けられる支持点
０１０６  骨材に設けられる支持点
０１０７  布の一端に設けられる支持点
０１０８  布の一端に設けられる支持点
【図１】
2010204305.tif 000003
【図２（ａ）】
2010204305.tif 000004
【図２（ｂ）】
2010204305.tif 000005
【図２（ｃ）】
2010204305.tif 000006
【図３】
2010204305.tif 000007
【図４】
2010204305.tif 000008
【図５】
2010204305.tif 000009
【図６】
2010204305.tif 000010
【図７】
2010204305.tif 000011
【図８】
2010204305.tif 000012
【図９】
2010204305.tif 000013
【図１０（ａ）】
2010204305.tif 000014
【図１０（ｂ）】
2010204305.tif 000015
【図１０（ｃ）】
2010204305.tif 000016
【図１１】
2010204305.tif 000017
【図１２】
2010204305.tif 000018
【図１３】
2010204305.tif 000019
【図１４】
2010204305.tif 000020
【図１５】
2010204305.tif 000021